(57)【要約】【課題】コストを抑えながら省エネルギーモードから読み取り可能となるまでのウェイト時間の更なる短縮を図る。【解決手段】待機時に省電力化を図る省エネルギーモードへの移行の際に、ゲインアンプのゲイン調整に際しての読取り対象である白基準板の領域へ走行体が移動して停止するようにした画像読取装置において、省エネルギーモードへの移行の際にゲイン調整値を復帰パラメータとして記憶し、省エネルギーモードからの復帰動作時に、復帰パラメータをゲインアンプのゲイン調整値として再設定する。【選択図】図６
2013115567.tif 000002
【特許請求の範囲】
【請求項１】
待機時に省電力化を図る省エネルギーモードへの移行の際に、ゲインアンプのゲイン調整に際しての読取り対象である白基準板の領域へ走行体が移動して停止する画像読取装置において
前記省エネルギーモードへの移行の際に前記ゲイン調整後のゲイン調整値を復帰パラメータとして記憶するゲイン記憶手段と、
前記省エネルギーモードからの復帰時に、前記復帰パラメータを前記ゲインアンプの前記ゲイン調整値として設定するゲイン設定手段と、
前記ゲイン設定手段による設定の完了後、前記白基準板の領域から前記走行体のホームポジションへの復帰処理を行うとともに、前記白基準板の白基準レベルを取得し、前記白基準レベルが正常な範囲であるか否かを判断する初期化処理手段と、
前記白基準レベルが正常な範囲でないと判断された場合には、前記白基準板の領域へと前記走行体を移動させ、前記ゲインアンプの前記ゲイン調整を再度実施するゲイン再設定手段と、
を備えることを特徴とする画像読取装置。
【請求項２】
前記ゲイン再設定手段が、前記ゲインアンプのゲイン調整を再度行った後に、再度前記白色基準板における白基準レベルを取得し、前記白基準レベルが正常な範囲であるか否かを判断する再検査手段と、
前記再検査手段によって、前記白基準レベルが正常な範囲でないと判断された場合に、機器の運転を停止させる停止手段と
をさらに備えることを特徴とする請求項１に記載の画像読取装置。
【請求項３】
前記停止手段により、機器の運転が停止された際に、異常の発生を通知する通知手段
をさらに備えることを特徴とする請求項２に記載の画像読取装置。
【請求項４】
一定期間が経過すると、前記走行体を前記白基準板の領域へと移動させて、前記ゲインアンプのゲイン調整を行うメンテナンス手段
をさらに備えることを特徴とする請求項１〜３のいずれか一項に記載の画像読取装置。
【請求項５】
請求項１〜４のいずれか一項に記載の画像読取装置
を備えた画像形成装置。
【発明の詳細な説明】
【技術分野】
【０００１】
本発明は、デジタル複写機、スキャナ、ファクシミリなどに用いられる画像読取装置、画像形成装置に関する。
【背景技術】
【０００２】
最近、環境保護、省エネルギーが取り上げられ、複写機やＭＦＰなどの設計においても、エナジースター、ＺＥＳＭ等の省エネルギーを目標として提唱されている規格に適合させるための努力が続けられている。これらの規格は省エネルギーを目的とし、待機状態（主電源オン後、使用されない状態が所定の時間経ったときに一部の電源供給を停止し、復帰指令を待つ状態）にある時、消費エネルギーに制限を設けたものである。
【０００３】
現在、複写機やＭＦＰで実施されている待機時における省エネモードは、消費電力の大きい定着ヒータをはじめ、操作パネル等の電源はオフ、あるいは低電力運転に切り替えられ、スキャナ部に於いては電源を一括してオフされることが一般的である。
【０００４】
一方、待機状態にある複写機やＭＦＰを使用する場合は、電源をオン状態に戻して低電力運転から通常運転状態に戻し、使用可能な状態になるまでユーザを待たせることになる。この待ち時間はユーザにとっては実際以上に長く感じられ、ストレスを与えることにつながっている。
【０００５】
具体的には、待機状態からの復帰時において、スキャナ部は得られたアナログ画像信号が精度良くデジタル画像信号に変換されるように、電源がオンされた時に以下の調整を行っている。
・アナログ画像信号を程よい大きさに増幅するための増幅率の調整。
・黒レベルが最適な値になるように基準レベルの調整。
【０００６】
従って、スキャナ部への電源供給を停止する場合における待機状態からの復帰時に、上記した調整を行うための時間が含まれ、ユーザをより長く待たせる結果につながると言う不具合がある。
【０００７】
そこで従来においては、ゲイン調整実行前の走行体のイニシャライズ処理（ホームポジション検出）を省略して上述した調整に掛かる時間の短縮を行う技術（特許文献１）や上述した調整の初期値を保存しておいた省エネモード移行前の値とする事で調整に掛かる時間の短縮を行う技術（特許文献２，３）などが提案されている。
【発明の概要】
【発明が解決しようとする課題】
【０００８】
しかしながら、近年においては、特許文献１〜３のような技術による復帰時間の短縮化に加えて、更なる復帰時間の短縮が必要となってきている。
【０００９】
本発明は、上記に鑑みてなされたものであって、コストを抑えながら省エネルギーモードから読み取り可能となるまでの待ち時間の更なる短縮を図ることを目的とする。
【課題を解決するための手段】
【００１０】
上述した課題を解決し、目的を達成するために、本発明は、待機時に省電力化を図る省エネルギーモードへの移行の際に、ゲインアンプのゲイン調整に際しての読取り対象である白基準板の領域へ走行体が移動して停止するようにした画像読取装置において前記省エネルギーモードへの移行の際に前記ゲイン調整後のゲイン調整値を復帰パラメータとして記憶するゲイン記憶手段と、前記省エネルギーモードからの復帰動作時に、前記復帰パラメータを前記ゲインアンプの前記ゲイン調整値として再設定するゲイン設定手段と、前記ゲイン設定手段による設定の完了後、前記白基準板の領域から前記走行体のホームポジションへの復帰処理を行うと同時に、前記白基準板における白基準レベルを取得し、前記白基準レベルが正常な範囲であるか否かを判断する初期化処理手段と、前記白基準レベルが正常な範囲でないと判断された場合には、前記白基準板の領域へと前記走行体を移動させ、前記ゲインアンプの前記ゲイン調整を再度実施するゲイン再設定手段と、を備えることを特徴とする。
【発明の効果】
【００１１】
本発明によれば、コストを抑えながら省エネルギーモードから読み取り可能となるまでのウェイト時間の更なる短縮を図るという効果を奏する。
【図面の簡単な説明】
【００１２】
【図１】図１は、第１の実施の形態にかかるデジタル複合機を概略的に示す構成図である。
【図２】図２は、第１の実施形態のデジタル複合機のハードウェア構成を示すブロック図である。
【図３】図３は、第１の実施形態のスキャナ部の読み取りユニットを示す概略構成図である。
【図４】図４は、第１の実施形態のスキャナ部の制御系を示すブロック図である。
【図５】図５は、第１の実施形態のスキャナ部の省エネモードへの移行処理の流れを示すフローチャートである。
【図６】図６は、第１の実施形態のスキャナ部の省エネモードからの復帰処理の流れを示すフローチャートである。
【図７】図７は、第１の実施形態のスキャナ部のメンテナンス処理の流れを示すフローチャートである。
【図８】図８は、第２の実施形態のスキャナ部の制御系を示すブロック図である。
【図９】図９は、第２の実施形態のＡＧＣ回路の構成を示すブロック図である。
【図１０】図１０は、第２の実施形態の画像読取時の主走査方向の同期信号と読取データの有効領域のタイミングチャートである。
【図１１】図１１は、第２の実施形態の副走査方向のタイミングチャートである。
【発明を実施するための形態】
【００１３】
（第１の実施の形態）
本発明の第１の実施の形態を図１に基づいて説明する。本実施の形態は画像形成装置として、コピー機能、ファクシミリ（ＦＡＸ）機能、プリント機能、スキャナ機能および入力画像（スキャナ機能による読み取り原稿画像やプリンタあるいはＦＡＸ機能により入力された画像）を配信する機能等を複合したいわゆるＭＦＰ（Multi  Function  Peripheral）と称されるデジタル複合機を適用した例である。
【００１４】
図１は、本発明の第１の実施の形態にかかるデジタル複合機１０００を概略的に示す構成図である。本実施の形態にかかるデジタル複合機１０００は、後処理装置であるフィニシャ１００と画像読取装置であるスキャナ部２００と画像印刷装置であるプリンタ部３００とで構成されている。
【００１５】
まず、デジタル複合機１０００のスキャナ部２００について説明する。スキャナ部２００は、概略的には、自動原稿送り装置（以後、ＡＤＦ（Auto  Document  Feeder）という。）１と読み取りユニット５０とで構成されている。
【００１６】
ＡＤＦ１の原稿台２に原稿の画像面を上にして置かれた原稿束は、操作部４００（図２参照）上のプリントキー（図示せず）が押下されると、一番下の原稿から給送ローラ３、給送ベルト４によってコンタクトガラス６上の所定の位置に給送される。なお、デジタル複合機１０００は、１枚の原稿をコンタクトガラス６上の所定の位置に給送完了する毎に原稿枚数をカウントアップするカウント機能を有している。
【００１７】
コンタクトガラス６上の所定の位置に給送された原稿は、読み取りユニット５０によって画像データを読み取られる。
【００１８】
ここで、読み取りユニット５０について詳述する。読み取りユニット５０は、原稿を載置するコンタクトガラス６と光学走査系で構成されている。光学走査系は、照明手段である露光ランプ５１、第１ミラー５２、レンズ５３、ＣＣＤイメージセンサ５４等で構成されている。露光ランプ５１および第１ミラー５２は、第１キャリッジ６１上に固定され、第２ミラー５５および第３ミラー５６は、第２キャリッジ６２上に固定されている。この光学走査系は、スキャナ駆動モータ６３にて駆動される。本実施の読み取りユニット５０は、コンタクトガラス６上に原稿が搭載された場合に、露光ランプ５１を点灯し、走行体である第１キャリッジ６１、および第２キャリッジ６２をスキャナ駆動モータ６３により右方向に移動走査して原稿を読み取る読み取り方式と、露光ランプ５１を点灯し、第１キャリッジ６１、および第２キャリッジ６２は停止した状態のまま、ＡＤＦ１によって搬送される原稿を読み取る読み取り方式が選択可能である。第１キャリッジ６１、および第２キャリッジ６２をスキャナ駆動モータ６３により右方向に移動走査して原稿を読み取る読み取り方式の場合には、原稿像を読み取るときには、光路長が変わらないように、第１キャリッジ６１と第２キャリッジと６２が２対１の相対速度で副走査方向に機械的に走査される。原稿画像は、ＣＣＤイメージセンサ５４によって読み取られ、電気信号に変換されて出力される。ＣＣＤイメージセンサ５４からの出力信号は、ＡＤコンバータによりデジタルデータ（画像データ）に変換される。
【００１９】
デジタルデータに変換された原稿画像情報は、例えばプリンタ部３００に送られてプリント出力として画像情報の出力が行なわれる場合や、あるいは記憶装置に送られて入力画像情報の記憶が行なわれる場合等、種々あり、各々のスキャナ部２００の情報として使用されている。
【００２０】
読み取りユニット５０によって画像データの読み取りが終了した原稿は、給送ベルト４および排送ローラ５によって排出される。
【００２１】
さらに、原稿セット検知７にて原稿台２に次の原稿が有ることを検知した場合、前原稿と同様に、次の原稿がコンタクトガラス６上に給送される。
【００２２】
上述した給送ローラ３、給送ベルト４、排送ローラ５は、それぞれ搬送モータ（図示せず）によって駆動される。
【００２３】
次に、デジタル複合機１０００のプリンタ部３００について説明する。プリンタ部３００は、概略的には、作像ステーション７０と定着ユニット１７と給紙部８０と両面給紙ユニット１１１とで構成されている。
【００２４】
作像ステーション７０は、電子写真方式で作像するものであり、書き込みユニット５７と感光体１５と現像ユニット２７と転写部としても機能する搬送ベルト１６とを主体として構成されている。
【００２５】
給紙部８０は、第１トレイ８と第２トレイ９と第３トレイ１０と第１給紙装置１１と第２給紙装置１２と第３給紙装置１３と縦搬送ユニット１４とにより構成されている。第１トレイ８、第２トレイ９、第３トレイ１０に積載された転写紙Ｐは、各々第１給紙装置１１、第２給紙装置１２、第３給紙装置１３によって給紙され、縦搬送ユニット１４によって感光体１５に当接する位置まで搬送される。
【００２６】
読み取りユニット５０にて読み込まれた画像データは、書き込みユニット５７から出力されるレーザビームによって感光体１５に書き込まれ、現像ユニット２７を通過することによってトナー像が形成される。書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。なお、特に図示しないが、感光体１５の一端近傍のレーザビームを照射される位置に、主走査同期信号を発生するビームセンサが配置されている。
【００２７】
感光体１５上のトナー像は、感光体１５の回転と等速で搬送ベルト１６によって搬送される転写紙Ｐに転写される。その後、定着ユニット１７に搬送されて画像を定着された転写紙Ｐは、排紙ユニット１８によって後処理装置であるフィニシャ１００に排出される。
【００２８】
後処理装置のフィニシャ１００は、排紙ユニット１８の排紙ローラ１９によって搬送された転写紙Ｐを、通常排紙ローラ１０２方向とステープル処理部方向へと切り替えて導くことができる。より詳細には、後処理装置であるフィニシャ１００は、切り替え板１０１を上に切り替えることにより、搬送ローラ１０３を経由して通常の排紙トレイ１０４側に転写紙Ｐを排紙することができ、切り替え板１０１を下方向に切り替えることで、搬送ローラ１０５、１０７を経由して、ステープル台１０８に転写紙Ｐを搬送することができる。
【００２９】
ステープル台１０８に積載された転写紙Ｐは、一枚排紙されるごとに紙揃え用のジョガー１０９によって、紙端面が揃えられ、一部のコピー完了と共にステープラ１０６によって綴じられる。ステープラ１０６で綴じられた転写紙Ｐ群は、自重によってステープル完了排紙トレイ１１０に収納される。
【００３０】
一方、フィニシャ１００の通常の排紙トレイ１０４は、前後に移動可能な排紙トレイである。前後に移動可能な排紙トレイ１０４は、原稿毎、あるいは、画像メモリによってソーティングされたコピー部毎に、前後に移動し、簡易的に排出されてくるコピー紙を仕分けるものである。
【００３１】
本実施の形態にかかるデジタル複合機１０００は、転写紙Ｐの両面に画像を作像可能である。転写紙Ｐの両面に画像を作像する場合は、各給紙トレイ８〜１０から給紙され作像された転写紙Ｐを排紙トレイ１０４側に導かないで、排紙ユニット１８の経路切り替えの為の分岐爪１１２を上側にセットすることで、一旦両面給紙ユニット１１１にストックする。その後、両面給紙ユニット１１１にストックされた転写紙Ｐは、再び感光体１５に作像されたトナー画像を転写するために、反転された状態で両面給紙ユニット１１１から再給紙され、下側にセットされた分岐爪１１２を介して排紙トレイ１０４に導かれる。このように、転写紙Ｐの両面に画像を作成する場合に両面給紙ユニット１１１は使用される。また、画像の載った転写紙Ｐの裏面に印字を行なう際にも両面給紙ユニット１１１を用いて転写紙Ｐの裏表を変えることができる。
【００３２】
なお、上述した感光体１５、搬送ベルト１６、定着ユニット１７、排紙ユニット１８、現像ユニット２７、フィニシャ１００は、メインモータ（図示せず）によって駆動され、各給紙装置１１〜１３はメインモータの駆動を各々給紙クラッチ（図示せず）によって伝達駆動される。縦搬送ユニット１４は、メインモータの駆動を中間クラッチ（図示せず）によって伝達駆動される。
【００３３】
図２は、デジタル複合機１０００のハードウェア構成を示すブロック図である。図２に示すように、このデジタル複合機１０００は、コントローラ１１０１とプリンタ部３００及びスキャナ部２００とをＰＣＩ（Peripheral  Component  Interconnect）バスで接続した構成となる。コントローラ１１０１は、デジタル複合機１０００全体の制御と描画、通信、操作部４００からの入力を制御するコントローラである。なお、プリンタ部３００又はスキャナ部２００には、誤差拡散やガンマ変換などの画像処理部分が含まれる。
【００３４】
コントローラ１１０１は、コンピュータの主要部であるＣＰＵ（Central  Processing  Unit）１１１１と、システムメモリ（ＭＥＭ−Ｐ）１１１２と、ノースブリッジ（ＮＢ）１１１３と、サウスブリッジ（ＳＢ）１１１４と、ＡＳＩＣ（Application  Specific  Integrated  Circuit）１１１６と、ローカルメモリ（ＭＥＭ−Ｃ）１１１７と、ハードディスクドライブ（ＨＤＤ）１１１８とを有し、ＮＢ１１１３とＡＳＩＣ１１１６との間をＡＧＰ（Accelerated  Graphics  Port）バス１１１５で接続した構成となる。また、ＭＥＭ−Ｐ１１１２は、ＲＯＭ（Read  Only  Memory）１１１２ａと、ＲＡＭ（Random  Access  Memory）１１１２ｂとをさらに有する。
【００３５】
ＣＰＵ１１１１は、デジタル複合機１０００の全体制御を行うものであり、ＮＢ１１１３、ＭＥＭ−Ｐ１１１２およびＳＢ１１１４からなるチップセットを有し、このチップセットを介して他の機器と接続される。
【００３６】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００３７】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００３８】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部１１０４なども接続される。
【００３９】
ＡＳＩＣ１１１６は、画像処理用のハードウェア要素を有する画像処理用途向けのＩＣ（Integrated  Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct  Memory  Access  Controller）と、プリンタ部３００やスキャナ部２００との間でＰＣＩバスを介したデータ転送を行うＰＣＩユニットとからなる。このＡＳＩＣ１１１６には、ＰＣＩバスを介してＦＣＵ（Fax  Control  Unit）１１２１、ＵＳＢ（Universal  Serial  Bus）１１２２、ＩＥＥＥ１３９４（the  Institute  of  Electrical  and  Electronics  Engineers  1394）インタフェース１１２３が接続される。
【００４０】
ＭＥＭ−Ｃ１１１７は、コピー用画像バッファ、符号バッファとして用いるローカルメモリであり、ＨＤＤ１１１８は、画像データの蓄積、ＣＰＵ１１１１の動作を制御するプログラムの蓄積、フォントデータの蓄積、フォームの蓄積を行うためのストレージである。
【００４１】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００４２】
次に、本実施の形態のデジタル複合機１０００のコントローラ１１０１がプログラムに従って実現する待機時に省電力化を図る省エネルギーモード（以下、省エネモードという）機能について簡単に説明する。デジタル複合機１０００で実施される待機時における省エネモードは、消費電力の大きい定着ユニット１７の定着ヒータや操作部４００（図２参照）等の電源はオフあるいは低電力運転に切り替え、スキャナ部２００においては電源を一括してオフする。より詳細には、デジタル複合機１０００は、下記に示す３種類の省エネモードを備えている。
低電力モード：最後に機器を使用してから一定時間経過した場合に、エンジン系負荷の一部を除いて電源供給停止＋定着温度を下げる。
スリープモード：低電力モードに移行後、引き続き操作が行われなかった場合、エンジン系負荷への電源供給を停止する。
オフモード：設定時間以上機器を使用しない場合に、エンジン系負荷は全て、コントローラ系負荷は一部を除いて電源供給を停止する。
【００４３】
なお、スリープモードは、オプション追加によりプリンタ機能やスキャナ機能を有した場合に有効となる。オフモードは、コピー機能しか有しない場合に有効となる。よって、スリープとオフモードは、デジタル複合機１０００がどのような機能を有しているかにより、一方の機能のみ有効になる。すなわち、スリープモードとオフモードは、排他の関係にある。
【００４４】
ところで、上述したような省エネモードによる待機状態からの復帰時においては、スキャナ部２００は、得られたアナログ画像信号が精度良くデジタル画像信号に変換されるように、電源がオンされた時に以下の調整を行っている。
・アナログ画像信号を程よい大きさに増幅するための増幅率の調整。
・黒レベルが最適な値になるように基準レベルの調整。
【００４５】
従って、待機状態においてスキャナ部２００への電源供給を停止する場合における待機状態からの復帰時に、上記した調整を行うための時間が含まれるため、電源投入後のスキャナ部２００の原稿読み取り可能となるまでのウェイト時間の短縮が望まれている。
【００４６】
次に、本実施の形態のデジタル複合機１０００が備える機能について説明する。
【００４７】
図３は、スキャナ部２００の読み取りユニット５０を示す概略構成図である。前述した構成に加えて、読み取りユニット５０の上部であってコンタクトガラス６の副走査方向上流側には、白基準板９０が配置されている。この白基準板９０は、電源オン時には画像信号を増幅するゲインアンプのゲイン調整する際の読み取り対象であり、原稿読み取り時にはシェーディング補正データを得るための読み取り対象である、主走査方向に設けられた均一濃度のほぼ白色の部材である。
【００４８】
本実施の形態のデジタル複合機１０００においては、原稿の読み取りに先立って白基準板９０の読み取りデータを走査して、シェーディング補正用データを生成しメモリに記憶しておき、そのシェーディング補正用データで原稿画像を読み取りながら正規化することで、該装置における光量分布ムラ、ＣＣＤの感度ムラ、そして出力変動等を補正し、原稿の画像情報を精度よく読み取っている。
【００４９】
ＣＣＤイメージセンサ５４は、ＣＣＤ基板９２に搭載されている。このＣＣＤ基板９２は、信号処理ＩＣ９１（図４参照）などを備えている。ＣＣＤ基板９２は、入射光量に対応した電圧を出力し、画像処理部９３に画像データとして渡す。
【００５０】
上述したように、スキャナ部２００はコントローラ１１０１に制御されるものであり、ＣＣＤ基板９２と画像処理部９３とについてもコントローラ１１０１により制御されることになる。
【００５１】
ここで、図４はスキャナ部２００の制御系を示すブロック図である。図４に示すように、コントローラ１１０１は、信号処理ＩＣ９１を制御する。また、コントローラ１１０１は、ゲイン調整に用いる白基準板９０のピーク検出機能および露光ランプ５１の照度の立ち上りの検出機能を備える検出手段１２００を有している。検出手段１２００は、白基準板９０の読取レベルに対してノイズを除去する為の平均化処理を行なう平均化回路１２０１と、白基準板９０の読取レベルについてピークデータを検出するピーク検出回路１２０２と、基準レベルを保持する基準レベル保持回路１２０３と、ピーク検出回路１２０２で検出したピークデータと基準レベル保持回路１２０３が保持する基準レベルとを比較する比較回路１２０４とで構成されている。
【００５２】
図４に示すように、ＣＣＤイメージセンサ５４からの読み取り画像信号を処理する信号処理ＩＣ９１は、ＲＧＢ毎のアナログ処理回路により信号処理し、その後Ａ／Ｄ変換し、読み取りデータとして画像処理部９３に出力するまでの読み取り画像の信号処理を行う。信号処理ＩＣ９１内の信号処理のフローを説明すると、ここでは、ＣＣＤイメージセンサ５４の出力を交流結合した信号をクランプ（ＣＬＭＰ）回路９１ａによりラインクランプした後、サンプルホールド（ＳＨ）回路９１ｂにより保持し、保持した信号をゲインが制御できる可変ゲインアンプ（ＶＧＡ）９１ｃを通して増幅してＡ／Ｄコンバータ（ＡＤＣ）９１ｄに入力する。変換後のデジタル画像データは、読み取り画像データとして画像処理部９３に入力される。信号処理ＩＣ９１は、上記した信号処理フローを実行する制御信号を生成するために、ＣＣＤイメージセンサ５４の駆動や信号処理ＩＣ９１のタイミング信号を発生するタイミングジェネレータ９１ｅ、ＣＰＵ１１１１と直接やり取りを行うＣＰＵ  ＩＦ９１ｆ等を構成要素として有する。
【００５３】
このようなデジタル複合機１０００の主電源投入時又は省エネモードからの復帰時には、Ａ／Ｄコンバータ（ＡＤＣ）９１ｄのダイナミックレンジを有効に使用するため、上記白基準板９０の読取レベルが規定のレベルとなるようにＣＣＤ出力のゲイン調整を行う処理が実行される。ＣＣＤ出力のゲイン調整は、ＣＣＤ出力をサンプリングした後、可変ゲインアンプ（ＶＧＡ）９１ｃにてアナログ信号として増幅する。なお、ＣＣＤ出力のゲイン調整は、コンバータの分解能が十分な場合には、Ａ／Ｄ変換を行った後にデジタル的に増幅する場合もある。また、ＣＣＤ出力のゲイン調整は、両者の組合せで行う場合もある。  
【００５４】
主電源投入時又は省エネモードからの復帰時からゲイン調整にいたるステップとしては、一般的に次のような手順となる。まず、第１キャリッジおよび第２キャリッジのイニシャライズ処理（ホームポジション検出）を行い、露光ランプ５１の起動及び白基準板９０領域へ第１キャリッジおよび第２キャリッジの移動が行われた後、ゲイン調整が実行される。ゲイン調整終了後、第１キャリッジおよび第２キャリッジのホームポジションへの移動が行われ、原稿画像読取が可能な待機状態へ移行する。
【００５５】
上記のような一般的なゲイン調整のプロセスに対して、より高速での省エネモードからの復帰を行うためには、本実施形態では次のような処理が行われている。すなわち、まず省エネモードへの移行時に、露光ランプ５１の起動及び白基準板９０領域へ第１キャリッジおよび第２キャリッジの移動が行われた後、ゲイン調整が実行され、このときのゲイン調整値を復帰パラメータＲＰとして不揮発性のメモリに記憶される。このメモリが、ゲイン記憶手段に相当する。
【００５６】
省エネモードからの復帰時においては、露光ランプ５１の起動後に、復帰パラメータＰＲをゲイン調整値として設定してゲイン調整を行う。この調整作業と同時に、第１キャリッジおよび第２キャリッジのホームポジションへと移動するホーミング動作を行う。
【００５７】
ここで、図５は、スキャナ部２００の省エネモードへの移行時の処理の流れを示すフローチャートである。上述したように、一定時間何も操作がされない等の所定の条件を満たすと省エネモードに移行し、処理が開始される。処理が開始されると、コントローラ１１０１は、白基準板９０領域へ第１キャリッジ６１および第２キャリッジ６２の移動を指示する（ステップＳ１０１）。従来のスキャナ部ではこの状態で、省エネモードへと移行するが、本実施形態においては、この処理に続いて以下の処理を行う。
【００５８】
コントローラ１１０１は、露光ランプ５１の点灯処理を行う（ステップＳ１０２）。次いで、コントローラ１１０１は、ゲイン調整処理を行い（ステップＳ１０３）、調整後に露光ランプ５１の消灯処理を行う（ステップＳ１０４）。なお、この際にオフセット調整や、光量調整などを実施しても良い。そして、コントローラ１１０１は、調整後のゲイン調整値を復帰パラメータＲＰとして不揮発性メモリに記憶し（ステップＳ１０５）、省電力状態に移行する（ステップＳ１０６）。
【００５９】
次いで、省エネモードからの復帰時の処理の流れについ説明する。図６はスキャナ部２００の省エネモードからの復帰処理の流れを示すフローチャートである。ここでは、第１キャリッジ６１および第２キャリッジ６２は、省エネモードへの移行時に白基準板９０の領域へ移動して停止した状態となっている。なお、通常動作に戻る場合、原稿のセットなどをトリガとして、復帰の処理が実行される。  
【００６０】
復帰処理が開始されると、コントローラ１１０１は、信号処理ＩＣ９１等に必要な初期設定を行い、（ステップＳ２０１）、露光ランプ５１の点灯処理を行う（ステップＳ２０２）。  
【００６１】
次いで、コントローラ１１０１は、保存された復帰パラメータＲＰをゲイン調整値として設定する（ステップＳ２０３：ゲイン設定手段）。ゲイン調整値の設定が終わると、コントローラ１１０１は、第１キャリッジ６１および第２キャリッジ６２のホームポジションへの移動を行うホーミングの指示を出すとともに、この指示と同時に白基準板９０における白基準データを取得する指示を出す（ステップＳ２０４：初期化処理手段）。白基準データは、ＣＣＤイメージセンサ５４で白基準板９０を走査して読み取り、画像処理部９３内のＡ／Ｄコンバータ９１ｄでアナログ−デジタル変換を行うことで取得され、ＲＡＭに保持される。
【００６２】
白基準データは、シェーディングの補正用データとして用いられることから、シェーディングされた画像データが飽和しない範囲内の値に設定される。例えば、白基準板９０を８ｂｉｔの分解能で読み取った場合のノイズ成分の標準偏差が６の場合、ノイズ成分も含めて２５６階調（８ｂｉｔ）内に収まるよう２２５を目標値とし、この±２０％を許容値とする。
【００６３】
そして、コントローラ１１０１は、白基準データが正常な範囲であるか否かを判定する（ステップＳ２０５）。白基準データが正常な場合（ステップＳ２０５：Ｙｅｓ）、コントローラ１１０１は、露光ランプ５１の消灯処理を行い（ステップＳ２０６）、省エネモードからの復帰時の処理を終了する。
【００６４】
一方、白基準データが正常でない場合（ステップＳ２０５：Ｎｏ）、コントローラ１１０１は、第１キャリッジ６１および第２キャリッジ６２を再度白基準板９０の領域へと移動させる指示を行い、ゲイン調整を再度実行する（ステップＳ２０７：ゲイン再設定手段）。そして、コントローラ１１０１は、第１キャリッジ６１および第２キャリッジ６２のホームポジションへの移動を行うホーミングの指示を出す（ステップＳ２０８）。
【００６５】
ついで、コントローラ１１０１は、白基準データが正常な範囲であるか否かを判定する（ステップＳ２０９：再検査手段）。白基準データが正常な場合（ステップＳ２０９：Ｙｅｓ）、コントローラ１１０１は、露光ランプ５１の消灯処理を行い（ステップＳ２０６）、省エネモードからの復帰時の処理を終了する。白基準データが正常でない場合（ステップＳ２０９：Ｎｏ）、再度の調整においても正常値とならないことからスキャナ部２００に障害が発生していると判断して、コントローラ１１０１は、露光ランプ５１の消灯処理を行い、機器の停止処理を行う（ステップＳ２１０：停止手段）。
【００６６】
機器の停止処理後は、コントローラ１１０１は、機器のディスプレイやユーザの端末等に異常の発生を表示させて通知したり（ステップＳ２１１：通知手段）、サービスセンサーへの通報を行ったりする（ステップＳ２１２）。
【００６７】
次いで、メンテナンス処理の流れについて説明する。図７はスキャナ部２００におけるメンテナンス処理の流れを示すフローチャートである。上述したような省エネモードへの移行、及び復帰がなされない場合、ゲイン調整が行われず、また白基準データの異常判定も行われないこととなってしまい、こうした状況を是正するための処理である。図７に示されるように、コントローラ１１０１は、前回の省エネモードの復帰時から一定時間が経過したか否かを判定する（ステップＳ３０１）。ここでいう一定時間経過の判定は、時間の経過として判定してもよいし、スキャナ部２００による読取回数が一定回数を越えたか否かによって判定してもよい。
【００６８】
一定時間が経過するまで判定を繰り返し、経過すると（ステップＳ３０１：Ｙｅｓ）、コントローラ１１０１は、露光ランプ５１の点灯処理を行う（ステップＳ３０２）。  コントローラ１１０１は、第１キャリッジ６１および第２キャリッジ６２を再度白基準板９０の領域へと移動させる指示を行い（ステップＳ３０３）、ゲイン調整を実行する（ステップＳ３０４）。そして、コントローラ１１０１は、第１キャリッジ６１および第２キャリッジ６２のホームポジションへの移動を行うホーミングの指示を出す（ステップＳ３０５）。最後に、コントローラ１１０１は、露光ランプ５１の消灯処理を行い、メンテナンス処理を終了する（ステップＳ３０６）。
【００６９】
以上に、示した本実施形態の画像形成装置においては、省エネモードへの移行時に保存したゲイン調整値を復帰時に利用することとしたため、省エネモードからの復帰時に白基準板９０領域へ第１キャリッジおよび第２キャリッジの移動を行ってゲイン調整をする必要がなくなり、この処理にかかる時間を短縮することができるようになるため、省エネルギーモードから読み取り可能となるまでのウェイト時間の更なる短縮を図ることができる。
【００７０】
また、省エネモードからの復帰時に白基準データに異常を検出した場合であっても、再度ゲイン調整を実施することとしたため、正常な調整が可能であれば機器の動作を可能とし、機器のダウンタイムの低減を図ることができる。
【００７１】
また、メンテナンス処理を行うことで、白基準データの異常検知を定期的に行うことができ、シェーディング補正への影響を抑制することができる。
【００７２】
なお、ステップＳ２０９〜ステップＳ２１１の処理は適宜省略することも出来る。また、図７で示したメンテナンス処理を行わないようにすることもできる。
【００７３】
（第２の実施の形態）
次に、本発明の第２の実施の形態を図８ないし図１０に基づいて説明する。なお、前述した第１の実施の形態と同じ部分は同じ符号で示し説明も省略する。
【００７４】
ここで、図８はスキャナ部２００の制御系を示すブロック図である。図８に示すように、本実施の形態においては、ゲイン調整を行う機能を発揮するＡＧＣ回路９４を信号処理ＩＣ９１内に備えており、ハード的なゲイン調整が可能となっている。
【００７５】
図９は、ＡＧＣ回路９４の構成を示すブロック図である。ＡＧＣ回路９４におけるＡＧＣの起動は、ＳＨＧＴ信号のアサートにより実行される。ＳＨＧＴアサート期間の画像データは、ＡＧＣ回路９４の平均化回路９４ａにて平均化される。平均化（例えば、４画素のデータの移動平均）によりノイズの影響を低減した画像データは、ピーク検出回路９４ｂにて１ライン毎のピークを検出される。ピーク検出データのラッチはＬＧＴ信号のネゲートタイミングで行われ、ピークデータが確定する。確定したピーク検出結果は、ゲイン演算回路９４ｄに入力され、予め設定された白レベル目標値９４ｃとの比較演算が行われる。目標値に対する公差外の場合にはゲイン演算が行われ、その値がゲインレジスタ９４ｅに設定される。
【００７６】
ここで、図１０は画像読取時の主走査方向の同期信号と読取データの有効領域のタイミングチャートである。主走査の同期信号ＬＳＹＮＣに同期して、ＣＣＤイメージセンサ５４から１ライン毎のデータの読み取りが行われるが、１ラインの読取データのうち、図１０中のＬＧＴ信号のタイミングがＣＣＤ出力として有効な画像データの期間である。また、図１１は、副走査方向のタイミングチャートであり、ＳＨＧＴ信号はＡＧＣの実行期間を示している。
【００７７】
なお、上記実施の形態では、本発明の画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【００７８】
５１  露光ランプ
９０  白基準板
９１ｃ  ゲインアンプ
２００  スキャナ部
３００  プリンタ部
１０００  デジタル複合機
１１０１  コントローラ
１１１１  ＣＰＵ
【先行技術文献】
【特許文献】
【００７９】
【特許文献１】特開２００２−１１８７２６号公報
【特許文献２】特開２００２−１１２０２７号公報
【特許文献３】特開２００２−０７７５２０号公報
【図１】
2013115567.tif 000003
【図２】
2013115567.tif 000004
【図３】
2013115567.tif 000005
【図４】
2013115567.tif 000006
【図５】
2013115567.tif 000007
【図６】
2013115567.tif 000008
【図７】
2013115567.tif 000009
【図８】
2013115567.tif 000010
【図９】
2013115567.tif 000011
【図１０】
2013115567.tif 000012
【図１１】
2013115567.tif 000013